(57)【要約】【課題】切削加工と積層造形とを組み合わせても形状が良好な３次元形状物を作製する。【解決手段】ワーク６を切削工具３により切削加工して、切削加工領域１３と積層造形領域１４との境界面より下部を形状寸法まで加工を行った後（（Ａ）〜（Ｂ））、積層開始面のエッジ部に、積層造形または切削加工により、形状寸法より大きい積層開始面１７を形成し（（Ｃ））、大きく形成した積層開始面１７に積層造形を行い（（Ｄ））、積層造形領域１４を切削加工して３次元形状を完成させる（（Ｅ））。【選択図】図４
2020179522.tif 000002
【特許請求の範囲】
【請求項１】
切削加工と積層造形とによってワークを所定の３次元形状に加工する３次元形状加工方法であって、
前記積層造形の対象面を、前記３次元形状の形状寸法より大きく形成する工程と、
大きく形成した前記対象面に前記積層造形を行う工程と、
前記積層造形を行った領域を切削加工して前記３次元形状を完成させる工程と、
を実行することを特徴とする３次元形状加工方法。
【請求項２】
前記対象面を大きく形成する工程では、前記積層造形により前記対象面のエッジ部にビードを形成して大きくすることを特徴とする請求項１に記載の３次元形状加工方法。
【請求項３】
前記対象面を大きく形成する工程では、前記対象面を切削加工して大きくすることを特徴とする請求項１又は２に記載の３次元形状加工方法。
【発明の詳細な説明】
【技術分野】
【０００１】
本発明は、切削加工と積層造形とを用いて３次元形状物を加工する方法に関する。
【背景技術】
【０００２】
従来、切削加工技術と積層造形技術とを組み合わせることで、形状的な自由度が高く形状精度も良い３次元形状加工技術が知られている（例えば、特許文献１参照）。特許文献１には、パウダーベッドタイプの積層造形と切削加工とを組み合わせて造形途中に造形物表面を切削除去して形状精度を向上する技術が開示されている。
また、特許文献２には、材料噴射タイプの積層造形と切削加工とを組み合わせて造形物の表面粗さを低減する技術が開示されている。
【先行技術文献】
【特許文献】
【０００３】
【特許文献１】特開２０１０−２８０１７３号公報
【特許文献２】特開２０１８−１２３３６号公報
【発明の概要】
【発明が解決しようとする課題】
【０００４】
しかし、前述の技術では、切削加工面に積層造形を行った場合、切削加工での仕上げ加工が必要な場合に削り残しが発生してしまう場合がある。積層造形はその特性上、オーバーハング形状の造形が困難であり、切削加工で仕上げた面に積層造形を行うとその境界面及び積層造形部の切削代が確保できなくなる場合がある。また、積層造形により積層を重ねると先細りが発生し、同様に切削代が確保できなくなる場合がある。
【０００５】
そこで、本発明は、上記のような問題を解決すべく案出されたもので、切削加工と積層造形とを組み合わせても形状が良好な３次元形状物を作製できる３次元形状加工方法を提供することを目的とする。
【課題を解決するための手段】
【０００６】
上記目的を達成するために、請求項１に記載の発明は、切削加工と積層造形とによってワークを所定の３次元形状に加工する３次元形状加工方法であって、
前記積層造形の対象面を、前記３次元形状の形状寸法より大きく形成する工程と、
大きく形成した前記対象面に前記積層造形を行う工程と、
前記積層造形を行った領域を切削加工して前記３次元形状を完成させる工程と、を実行することを特徴とする。
請求項２に記載の発明は、請求項１の構成において、前記対象面を大きく形成する工程では、前記積層造形により前記対象面のエッジ部にビードを形成して大きくすることを特徴とする。
請求項３に記載の発明は、請求項１又は２の構成において、前記対象面を大きく形成する工程では、前記対象面を切削加工して大きくすることを特徴とする。
【発明の効果】
【０００７】
本発明によれば、積層造形の対象面を大きく形成して積層造形を行うので、切削加工領域と積層造形領域との境界面及び積層造形領域の切削代を確保することができ、良好な形状で３次元形状物を作製できる。また、最小限の切削代で加工可能であるため生産性が向上する。
【図面の簡単な説明】
【０００８】
【図１】３次元形状加工装置の概略図である。
【図２】３次元形状物の斜視図である。
【図３】（Ａ）は切削加工により作製される３次元形状物を、（Ｂ）は切削加工と積層造形とにより作製される３次元形状物をそれぞれ示す。
【図４】（Ａ）〜（Ｅ）は３次元形状加工方法の手順を示す説明図である。
【図５】積層開始面の拡大図で、（Ａ）は積層造形の場合、（Ｂ）は切削加工の場合をそれぞれ示す。
【発明を実施するための形態】
【０００９】
以下、本発明の実施の形態を図面に基づいて説明する。
図１は、本発明に関する３次元形状加工方法を実施する３次元形状加工装置の構成の一例を示した概略図を示す。
この３次元形状加工装置１は、切削加工用主軸２、切削工具３、積層造形ユニット４、ワーク６を固定するテーブル５、ＮＣ装置７を含んでなる。
ＮＣ装置７は、加工プログラムを記憶する記憶部８、加工プログラム解釈部９、機械動作制御部１０を備えている。
記憶部８に記憶された加工プログラムは加工プログラム解釈部９にて機械動作に変換され、機械動作制御部１０を介して切削加工用主軸２、積層造形ユニット４、ワーク６が固定されたテーブル５を動作させながら切削工具３による切削加工と、積層造形ユニット４による積層造形を行い、所定の３次元形状物を作製する。積層造形ユニット４は、供給した材料粉末に光ビームを照射して固化させる等の周知の構造となっている。
【００１０】
図２は、３次元形状加工装置１で作製可能な３次元形状物の一例を示している。この３次元形状物１１では、図３（Ａ）にも示すように、Ｚ方向へカーブしながら突出する突出部１２，１２がＸ方向で所定間隔をおいて並設されていることから、突出部１２，１２の間では切削工具３が干渉するため切削加工のみでは作製できない。よって、図３（Ｂ）に示すように、切削加工により形成される切削加工領域１３と、積層造形により形成される積層造形領域１４（ハッチングで示す）とを組み合わせることにより作製する。以下、その作製手順を説明する。
まず、図４（Ａ）に示すワーク６を切削工具３により切削加工して、図４（Ｂ）に示すように、加工形状の下部を形成する。ここでは切削加工領域１３と積層造形領域１４との境界面より下部を形状寸法まで加工を行う。なお、本形態では切削加工により加工形状の下部を加工しているが、他の金属加工方法（鋳造や鍛造等）を用いてあらかじめ形成しておいてもよい。
【００１１】
続いて、図４（Ｃ）に示すように、切削加工領域１３と積層造形領域１４との境界面のエッジ部に、積層造形または切削加工により、形状寸法より大きい積層開始面１７を形成する。
図５は、積層開始面１７の拡大図である。積層造形により積層開始面１７を形成する場合は、図５（Ａ）のように境界面のエッジ部にビード１６を形成し、寸法形状より大きくする。この際、積層開始面１７に対して積層造形ユニット４の積層造形用加工ヘッド１８を傾斜させて積層造形を行うことで、エッジ部に効率的にビード１６が形成され、寸法形状より大きい積層開始面１７が形成される。
一方、切削加工により積層開始面１７を形成する場合は、図５（Ｂ）のように境界面のエッジ部が寸法形状より大きくなるように切削工具３によってワーク６の切削加工を行うことで、寸法形状より大きい積層開始面１７ができる。
【００１２】
これにより切削加工領域１３と積層造形領域１４との境界面での切削代が十分に確保できる。境界面のエッジ部は全周を拡大することで均一な取り代が得られるが、機能上切削加工で仕上げる必要のない面に関してはエッジ部を拡大しなくてもよい。また、積層開始面１７は切削加工と積層造形とを組み合わせて形成してもよい。
【００１３】
続いて、寸法形状の大きい積層開始面１７から積層造形領域１４を積層造形し加工形状の上部を形成する。この際、積層造形領域１４や積層開始面１７を切削加工する場合に切削工具３が干渉する場合は、図４（Ｄ）に示すように、途中で切削加工に切り替えて、干渉を回避しながら積層造形を行う。積層開始面１７を大きく形成したことにより、積層造形領域１４を寸法形状より大きく積層造形可能であるため、切削での仕上げ加工時の取り代の確保も容易となる。
最後に、図４（Ｅ）に示すように、積層造形領域１４の表面及び切削加工領域１３との境界面を切削工具３で切削加工して３次元形状物１１を完成させる。
【００１４】
このように、上記形態の３次元形状加工方法によれば、積層開始面１７（積層造形の対象面）を、３次元形状の形状寸法より大きく形成する工程（図４（Ｃ））と、大きく形成した積層開始面１７に積層造形を行う工程（図４（Ｄ））と、積層造形領域１４を切削加工して３次元形状を完成させる工程（図４（Ｅ））と、を実行することで、切削加工領域１３と積層造形領域１４との境界面及び積層造形領域１４の切削代を確保することができ、良好な形状で３次元形状物１１を作製できる。また、最小限の切削代で加工可能であるため生産性が向上する。
【００１５】
なお、以上の加工方法では１つの３次元形状加工装置を用いて説明したが、切削加工と積層造形とを別々の装置として本発明の加工方法を実行しても良い。３次元形状物も上記形態に限定されないことは当然である。
また、上記形態では、切削加工領域と積層造形領域との境界面を積層開始面（積層造形の対象面）として説明を行ったが、積層造形領域で切削加工を実施した面や積層造形の途中の面も積層造形の対象面として本発明を実施して差し支えない。
【符号の説明】
【００１６】
１・・３次元形状加工装置、２・・切削加工用主軸、３・・切削工具、４・・積層造形ユニット、５・・テーブル、６・・ワーク、７・・ＮＣ装置、８・・記憶部、９・・加工プログラム解釈部、１０・・機械動作制御部、１１・・３次元形状物、１２・・突出部、１３・・切削加工領域、１４・・積層造形領域、１６・・ビード、１７・・積層開始面、１８・・積層造形用加工ヘッド。
【図１】
2020179522.tif 000003
【図２】
2020179522.tif 000004
【図３】
2020179522.tif 000005
【図４】
2020179522.tif 000006
【図５】
2020179522.tif 000007